(57)【要約】      （修正有）【課題】激しい振動または揺動効果を低下させるために、電気掃除機の下に空気のより均一な分布を達成するように特別に設計された、改善された浮揚電気掃除機を提供する。【解決手段】吸気口と、フィルターチャンバを囲うケーシング２０と、フィルターチャンバ内のフィルタと、モータ室と、モータ室内の推進モータと、モータを囲み、かつケーシングの底面の両側面で対称的に事前配置された排気口１を覆うシェル状の構造と、吸気口からダストフィルタ、推進モータを通って流れ、かつシェル状の構造によって導かれて排気口を通して放出する空気の経路と、排気口を通して放出される空気を閉じ込め、かつ浮揚効果を持つためにケーシングの底で空気のクッションを形成するための、ケーシングの底面の周辺部に沿って事前配置されたスカート３とを包含した。【選択図】図１
2007111528.tif 000002
【特許請求の範囲】
【請求項１】
吸気口と、  
フィルターチャンバ内のフィルタと、  
前記フィルターチャンバを囲むケーシングと、
推進モータと、  
前記推進モータを囲むシェル状の構造と、
前記ケーシングの底面の両側面に、対称的に事前配置された排気口と、
前記ケーシングの両側面で前記排気口を覆うシェル状の構造と、
前記吸気口から前記ダストフィルタ、前記推進モータを通して流れ、前記排気口を通して放出する空気の経路と、
前記排気口を通して放出される空気を閉じ込め、かつ浮揚効果を持つために前記ケーシングの底で空気のクッションを形成するための、前記ケーシングの前記底面の周辺部に沿って事前配置されたスカートと、を備える浮揚電気掃除機であって、
前記ケーシングの前記底面は、前記ケーシングの前記底面の長手方向の軸に沿って、対称的に事前配置された、前記浮揚効果を高める空気のより良い保持のための、湾曲面を有する、
ことを特徴とする浮揚電気掃除機。
【請求項２】
前記電気掃除機の前方および後方に、前記排気口を通して放出される気流を導くために、所定の角度で前記排気口に取り付けられた前後の指向羽根、を更に備える、請求項１に記載の浮揚電気掃除機。
【請求項３】
前記ケーシングの前記底面の前記長手方向の軸に沿って、前記ケーシングの前記底面の両側面に、対称的に事前配置された通気配分チャンネル、を更に備え、前記通気配分チャンネルは、前記電気掃除機の前記前方および後方に、より多くの空気を導くために前記排気口と連通している、ことを特徴とする請求項１および２に記載の浮揚電気掃除機。
【請求項４】
前記電気掃除機が通電される時、前記ユーザーによる操作の容易さのために、前記閉じ込められた空気を流して前記電気掃除機の自走を可能にする、電気掃除機の後ろに事前配置された噴射排気口を更に備える、請求項１ないし３に記載の浮揚電気掃除機。
【請求項５】
前記噴射排気口は、噴射排気口蓋部によって部分的にまたは完全に閉じることができる、ことを特徴とする請求項４に記載の浮揚電気掃除機。
【請求項６】
前記電気掃除機が通電されない時、前記ユーザーによる操作の容易さのための車輪の組合せ、を更に備える、請求項１ないし５に記載の浮揚電気掃除機。
【請求項７】
前記推進モータを覆い、かつ前記排気口と連通し、前記電気掃除機の前記推進モータから前記排気口を通して前記底部まで放出される前記気流を導くためのシェル状の構造、を更に備える、請求項１ないし７に記載の浮揚電気掃除機。    
【請求項８】
前記電気掃除機を冷却するために、前記排気チャンバに、前記閉じ込められた空気の一部を戻すための前記ケーシングの前記底面上の空気もどり穴、を更に備える、請求項１ないし８に記載の浮揚電気掃除機。
【発明の詳細な説明】
【技術分野】
【０００１】
本発明は、概ね家庭用または産業用途のために使用される改善された電気掃除機、およびより詳しくは、自力推進浮揚電気掃除機に関するものである。
【背景技術】
【０００２】
浮揚電気掃除機は、市場において入手可能であり、それらに関する特許は、例えば、Ｌ．Ｋ．  Ａｃｈｅｓｏｎに公布された米国特許第ＵＳ２７５１０３８号、Ｂａｅ  Ｓｕｋ  Ｗａｎに公布された韓国特許第ＫＲ１８４９８０Ｙ号、Ｍｉｃｈａｅｌ  Ｒｏｏｎｅｙに公布されたカナダ特許第２，２４７，７２１号およびカナダ特許第２，３０１  ４００号などがある。
前記特許は浮揚機能を有するが、しかし、それらはそれにもかかわらず完全でなく、電気掃除機の下の空気の一様でない分布による激しい振動または揺動に対する改善を必要とする。さらに、これらの従来技術は、本発明によって意図されるような、自力推進および自己冷却機能を持たない。  
【発明の開示】
【０００３】
本発明は、フィルターチャンバを囲うケーシングおよび排気チャンバと、吸気口と、フィルターチャンバ内のフィルタと、インペラおよびインペラ駆動用モータと、ケーシングの底面の両側で、対称的に事前配置された排気口と、吸気口から、ダストフィルタ、インペラ、モータを通って流れ、排気口を通して放出する空気の経路と、排気口を通って放出される空気を閉じ込め、かつ浮揚効果を持つためにケーシングの底に空気のクッションを形成するために、ケーシングの底面の周辺部に沿って事前配置されたスカートと、を備え、ケーシングの底面は、浮揚効果を高めるための空気のより良い保持のために、ケーシングの底面の長手方向の軸に沿って、対称的に事前配置された湾曲面を有する、浮揚電気掃除機を提供する。
本発明の主要な目的は、激しい振動または揺動効果を低下させるために、電気掃除機の下に空気のより均一な分布を達成するように特別に設計された、改善された浮揚電気掃除機を提供することである。
【０００４】
本発明の別の目的は、掃除機が作動する時自力推進機能を有する改善された浮揚電気掃除機を提供することである。
本発明の更なる目的は、内蔵の自己冷却機能を有する改善された浮揚電気掃除機を提供することである。
本発明の他の目的および利点は、図と例とをあげて本発明の実施態様が開示される、添付の図面と関連してなされる以下の記述から明らかになるであろう。
【発明を実施するための最良の形態】
【０００５】
好ましい実施態様の詳細な説明が、ここで提供される。しかし、本発明は様々な形態で実施することができることは理解されよう。したがって、本願明細書において開示される特定の詳細は、限定として解釈されるべきでなく、むしろ請求項の根拠として、および当業者に実質上任意の適切に詳細なシステム、構造または方法で本発明を使用することを教示する典型的基盤として解釈されるべきである。
（下記の図１〜９を参照することで説明される本発明の顕著な特徴。）
【０００６】
図１は、標準電気掃除機の実施態様、すなわち吸気口と、フィルターチャンバを囲うケーシング（２０）と、フィルターチャンバ内のフィルタと、モータ室と、モータ室内の推進モータと、モータを囲み、かつケーシングの底面の両側面で対称的に事前配置された排気口（１）を覆うシェル状の構造と、吸気口からダストフィルタ、推進モータを通って流れ、かつシェル状の構造によって導かれて排気口を通して放出する空気の経路と、排気口を通して放出される空気を閉じ込め、かつ浮揚効果を持つためにケーシングの底で空気のクッションを形成するための、ケーシングの底面の周辺部に沿って事前配置されたスカート（３）と、を包含した、本発明の自力推進浮揚電気掃除機を示す。ケーシングの底面は、浮揚効果を高めるための空気のより良い保持のために、ケーシングの底面の長手方向の軸に沿って、対称的に事前配置された湾曲面を有する。
【０００７】
図２は、排気口（１）と直接連通する通気配分チャンネル（２）を有する排気口の本発明の別の実施態様を示す。通常の電気掃除機から吸入された空気は、排気口（１）経由で、ケーシングの底面の長手方向の軸に沿って、ケーシングの底面の両側面に、対称的に事前配置された、通気配分チャンネル（２）に放出される。前記通気配分チャンネル（２）は、電気掃除機の前方および後方により多くの空気を導くために排気口と連通している。
適切に機能を達成するために、通気配分チャンネル（２）は、ケーシングの底面の長手方向の軸に沿って、ケーシングの底面の両側面に、対称的に事前配置されなければならない。通気配分チャンネル（２）は電気掃除機の前方および後方により多くの空気を導くために排気口（１）と連通していることもまた重要である。
【０００８】
図３は、本発明の電気掃除機の平面図を示し、この電気掃除機は、フィルターチャンバ（２４）およびモータ室（２６）と、吸気口（２２）と、フィルターチャンバ（２４）内のフィルタと、モータ室（２６）内の推進モータと、推進モータ（２６）を囲み、かつ排気口（１）を覆い、ケーシングの底面の両側面で、対称的に事前配置された、排気口（１）まで空気を下向きに導くシェル状の構造と、吸気口からフィルタ、推進モータを通して流れ、かつ排気口（１）を通って放出する空気の経路と、を囲むケーシング（２０）を包含する。
【０００９】
図４は、本発明の電気掃除機の断面図を示す。空気は、モータ室（２６）内の推進モータまで、フィルターチャンバ（２４）内のフィルタ（２５）を通って、吸気口（２２）から流れる。気流は、ケーシングの底部まで推進モータを覆うシェル状の構造（２８）によって下向きに導かれ、かつケーシングの底面に位置する排気口を通して放出する。ケーシングの底面の周辺部に沿って事前配置されたスカートは、排気口を通して放出される空気を閉じ込め、かつ浮揚効果を持つためにケーシングの底で空気のクッションを形成するためである。
【００１０】
図５は、本発明のケーシングの底面の断面図を示す。スカート（３）は、ケーシングの底面の下に空気のクッションを形成するために排気口（１）から電気掃除機の下のスペース内にまで放出される空気を閉じ込めるように機能する。スカート（３）は、空気噴射を外に出ることから妨げ、かつ電気掃除機の浮揚効果において補助するために、電気掃除機の下に反射された気流の乱気流を引き起こすように機能する。ケーシングの底面の湾曲面は、浮揚効果を高めるために空気のより良い保持を達成するように設計されている。
【００１１】
図６は、本発明のケーシングの底面の排気口における、羽根（１１）の配置を示す。電気掃除機の前方および後方に、および／または通気配分チャンネルに、排気口（１）を通して放出される気流を導くために、所定の角度で排気口に取り付けられた前方指向羽根（１２）および後方指向羽根（１４）がある。
前方指向羽根（１２）は、気流を前方に導くように設計されている。そして後方に対して、後方指向羽根１４が使用される。羽根の位置は、電気掃除機に対して均衡のとれた浮動効果を達成するために気流の方向を決定する。
【００１２】
より多くの気流が前方で必要とされるならば、その時より大きい表面積を覆うより前方の指向羽根（１２）が使用され、より多くの気流が後方で必要とされるならば、その時より大きい表面積を覆うより後方の指向羽根（１４）が使用される。
特に、その重量をつりあわせ、かつ激しい振動を防ぐために、ケーシングの底面の前方および後方に対する気流の均一なおよび均衡のとれた分布が、電気掃除機の浮揚動作にとって重要である。  
【００１３】
ケーシングの底面の両側面で、対称的に事前配置された排気口（１）の配置および前方、下方、および後方指向羽根（１２、１３、１４）を通しての気流の制御は、ケーシングの底面の前方および後方への、気流の均一なおよび均衡のとれた分布に対して重要な役割を果たし、電気掃除機の重心をつりあわせ、かつ激しい振動を防ぐ。
ポインタＡは、所定の角度で前方指向羽根（１２）を通して排気口（１）を出る気流を示す。高速度気流は、所定の角度で地面に当たって反射し、スカート（３）によって電気掃除機の下に乱流空気を形成する。空気のこの乱流ポケットは、電気掃除機の前部分で浮動作用を引き起こす。  
【００１４】
ポインタＢは、下方指向羽根（１３）を通して排気口（１）を出る気流を示す。高速度気流は、９０度で地面に当たって反射し、電気掃除機の下に乱流空気を形成する。空気のこの乱流ポケットは、電気掃除機の中央部分で浮動作用を引き起こす。  
ポインタＣは、後方指向羽根（１４）を通して所定の角度で排気口（１）を出る気流を示す。高速度気流は、所定の角度で地面に当たって反射し、スカート（３）によって電気掃除機の下に乱流空気を形成する。空気のこの乱流ポケットは、電気掃除機の後方部分で浮動作用を引き起こす。  
【００１５】
前方、下方および後方指向羽根（１２、１３、１４）の相対的な配置は、ケーシングの底面の前方および後方への、気流の均一なおよび均衡のとれた分布を引き起こし、電気掃除機の重心をつりあわせ、かつ激しい振動を防ぐ。
本発明の別の実施態様において、ケーシングの底面の両側面で、対称的に事前配置された排気口（１）の配置、およびケーシングの底面の長手方向の軸に沿って、ケーシングの底面の両側面に、対称的に事前配置された通気配分チャンネルまでの前後の指向羽根（１２，１４）を通しての気流の制御は、ケーシングの底面の前方および後方への、気流の均一なおよび均衡のとれた分布を達成し、電気掃除機の重心をつりあわせ、かつ激しい振動を防ぐ。
【００１６】
図７は、モータ室（２６）の推進モータ（２７）を覆うシェル状の構造（２８）を示す。シェル状の構造（２８）は、推進モータ（２７）を覆い、かつ推進モータ（２７）から、排気口を通して電気掃除機の底部に放出される気流を導くために、排気口と連通している。シェル状の構造（２８）は排気口を通して直接ケーシングの底部にほとんど乱流を伴わない気流を向けるであろう。  
【００１７】
図８は、電気掃除機の後ろに事前配置された噴射排気口（５）と、その上に取り付けられた噴射排気口蓋部（１５）を示す。噴射排気口（５）は、電気掃除機が作動する時、ケーシングの底面に閉じ込められた空気が中を流れて、ユーザーによって操作する容易さのために電気掃除機を自走させることを可能にする。噴射排気口は、閉じ込められた空気が中を流れることを可能にし、したがって、電気掃除機を前方に自走させることを可能にし、ユーザーはそれを意図した方向へ案内する必要があるだけである。  
噴射排気口は、噴射排気口蓋部（１５）によって、部分的にまたは完全に閉じることができる。自力推進があまりに強いならば、または浮揚が１箇所で必要とされるならば、その時、ユーザーは噴射排気口蓋部（１５）を活性化することによって噴射排気口（５）を部分的にまたは完全に閉じることができる。
【００１８】
図９は、本発明の一実施態様に従う電気掃除機の車輪の位置を示す。車輪（６）は、電気掃除機が動作していないか、または通電されていない時にだけ機能する。その時、アイドル状態の電気掃除機は車輪（６）上に休止し、あちこち押されることができる。電気掃除機が機能しているかまたは通電されたときに、浮揚効果が車輪（６）と共に電気掃除機を持ち上げ、それを車輪のない状態にする。掃除機は、空気のクッションの上に浮遊し、車輪（６）は地面／床に触れない。
図９は、また、電気ケーブルが格納される電気掃除機の排気チャンバを冷却するために、閉じ込められた空気の一部を排気チャンバに戻すためのケーシングの底面上の空気戻り穴（７）を示す。空気もどり穴（７）は、電気掃除機の浮揚動作によってたてられた塵埃を濾過するために、さらにフィルタ手段を取り付けられている。  
【００１９】
本発明は好ましい実施態様と関連して記述されたが、記載された特定の形態に本発明の適用範囲を限定することを意図されず、これに反して、この種の変形、修正および同等物を、添付の特許請求の範囲に記載の本発明の範囲内に含むことができるものとして、包含することを意図される。
【図面の簡単な説明】
【００２０】
図面はこの明細書の一部を構成し、かつ、様々な形態で実施することができる、本発明に例示的な実施態様を含む。いくつかの実例において、本発明の理解を容易にするために、様々な本発明の態様が誇張されてまたは拡大されて示される場合があることは理解されよう。
【図１】本発明の電気掃除機の好適な一実施態様の下面図。
【図２】本発明の電気掃除機の別の実施態様の下面図。
【図３】本発明の電気掃除機の平面図。
【図４】本発明の電気掃除機の断面図。
【図５】本発明のケーシングの底面の断面図。
【図６】本発明のケーシングの底面上の排気口における羽根の配置。
【図７】本発明の推進モータおよび排気口を覆うシェル状の構造。
【図８】電気掃除機の後方に事前配置された噴射排気口とその上に取り付けられた蓋部。
【図９】本発明の一実施態様に従う車輪および空気もどり穴の位置。
【図１】
2007111528.tif 000003
【図２】
2007111528.tif 000004
【図３】
2007111528.tif 000005
【図４】
2007111528.tif 000006
【図５】
2007111528.tif 000007
【図６】
2007111528.tif 000008
【図７】
2007111528.tif 000009
【図８】
2007111528.tif 000010
【図９】
2007111528.tif 000011
【外国語明細書】
Hover Vacuum Cleaner
Field of Invention:
This invention relates to an improved vacuum cleaner and more specifically a self-propulsion hovering vacuum cleaner generally used for domestic or industrial application.
Background:
Hovering vacuum cleaners are available in the market and patents on them had been granted eg. US patent no. 2751038 issued to L.K. Acheson, Korean patent no. KR184980Y issued to Bae Suk Wan, Canadian Patent No. 2,247,721  and Canadian Patent No. 2,301 400 issued to Michael Rooney.
Although said patents have hovering features but they nevertheless are not prefect and required improvements against juddering or rocking due to unequal distribution of air underneath the vacuum cleaners. Furthermore, these prior arts does not have self-propelling and self-cooling features as contemplated by this invention. 
Summary of the Invention:
The present invention provides a hovering vacuum cleaner comprising a casing enclosing a filter chamber and a exhaust chamber, a suction inlet, a filter in the filter chamber, an impeller and a motor for driving the impeller, air outlets predisposed symmetrically at both sides of the underside of the casing, a pathway for air to flow from the inlet through the dust filter, the impeller, the motor and emit through the air outlet, a skirting predisposed along the perimeter of the underside of the casing to entrap air emitted through the air outlet and to create a cushion of air at the bottom of the casing to have a hovering effect, and the underside of the casing has a curve up surface predisposed symmetrically along the longitudinal axis of the underside of the casing for better retention of air to enhance the hovering effect.
The primary object of the invention is to provide an improved hovering vacuum cleaner specially designed to achieve a more even distribution of air underneath the vacuum cleaner to reduce juddering or rocking effects.
Another object of the invention is to provide an improved hovering vacuum cleaner with self-propulsion features when the vacuum is energized.
A further object of the invention is to provide an improved hovering vacuum cleaner with built in self cooling features
Other objects and advantages of the present invention will become apparent from the following descriptions, taken in connection with the accompanying drawings, wherein, by way of illustration and example, an embodiment of the present invention is disclosed.
Brief Description of the Drawings:
The drawings constitute a part of this specification and include exemplary embodiments to the invention, which may be embodied in various forms.  It is to be understood that in some instances various aspects of the invention may be shown exaggerated or enlarged to facilitate an understanding of the invention.
Figure 1      shows the bottom view of a preferred embodiment of the vacuum cleaner of the present invention.
Figure 2      shows the bottom view of another embodiment of the vacuum cleaner of the present invention.
Figure 3      shows the top view of the vacuum cleaner of the present invention of the present invention.
Figure 4      shows the cross section view of the vacuum cleaner of the present invention.
Figure 5      shows the cross section view of the underside of casing of the present invention.
Figure 6     shows the arrangement of the vanes at the air outlets on the underside of the casing of the present invention.
Figure 7      shows the shell shaped structure covering the impelling motor and the air outlets of the present invention.
Figure 8     shows the jet outlet predisposed at the back of vacuum cleaner with lid installed thereon
Figure 9      shows the position of the wheel and air return holes according to one embodiment of the present invention.
Detailed Description of the Preferred Embodiments:
Detailed descriptions of the preferred embodiment are provided herein. It is to be understood, however, that the present invention may be embodied in various forms.  Therefore, specific details disclosed herein are not to be interpreted as limiting, but rather as a basis for the claims and as a representative basis for teaching one skilled in the art to employ the present invention in virtually any appropriately detailed system, structure or manner.
The salient features of the present invention described by reference to figures 1-9 below.
Figure 1 shows a self-propulsion hovering vacuum cleaner according to the present invention which encompassed the embodiments of the normal vacuum cleaner viz a suction inlet, a casing (20) enclosing a filter chamber, a filter in the filter chamber, a motor chamber, an impelling motor in the motor chamber, a shell-shaped structure enclosing the motor and covering the air outlets (1) which are predisposed symmetrically at both sides of the underside of the casing, a pathway for air to flow from the inlet through the dust filter, the impelling motor and directed by the shell-shaped structure to emit through the air outlet, a skirting (3) predisposed along the perimeter of the underside of the casing to entrap air emitted through the air outlet and to create a cushion of air at the bottom of the casing to have a hovering effect. The underside of the casing has a curve up surface predisposed symmetrically along the longitudinal axis of the underside of the casing for better retention of air to enhance the hovering effect.
Fig. 2 shows another embodiment of the present invention the air outlet with the air distribution channels (2) which are in direct communication with the air outlets (1). The suctioned air from the conventional vacuum cleaner is emitted via the air outlet (1) to the air distribution channels (2) which are predisposed symmetrically on both sides of the underside of the casing along the longitudinal axis of the underside of the casing. The said air distribution channels (2) are in communication with the air outlets for directing more air to the front and back directions of the vacuum cleaner.
To deliver the function properly, the air distribution channels (2) will have to be predisposed symmetrically on both sides of the underside of the casing along the longitudinal axis of the underside of the casing. It is also important that the air distribution channels (2) are in communication with the air outlets (1) for directing more air to the front and back directions of the vacuum cleaner.
Figure 3 shows the top view of the vacuum cleaner of the present invention of the present invention which encompasses a casing (20) enclosing a filter chamber (24) and a motor chamber (26), a suction inlet (22), a filter in the filter chamber (24) , an impelling motor in the motor chamber (26), a shell shaped structure enclosing the impelling motor (26) and covering the air outlets (1), said  shell shaped structure will direct the air downwards to the air outlets (1) predisposed symmetrically at both sides of the underside of the casing, a pathway for air to flow from the inlet through the filter, the impelling motor and emit through the air outlet (1).
Figure 4 shows the cross section view of the vacuum cleaner of the present invention. Air will flow from the suction inlet (22) through the filter (25) in the filter chamber (24) to the impelling motor in the motor chamber (26). The air flow shall be directed downwards by the shell shaped structure (28) covering the impelling motor to the bottom of the casing and emit through the air outlet located at the underside of the casing. A skirting predisposed along the perimeter of the underside of the casing shall entrap air emitted through the air outlets and to create a cushion of air at the bottom of the casing to have a hovering effect.
Figure 5 shows the cross section view of the underside of casing of the present invention. The skirting (3) functions to trap the air emitted from the air outlets (1) to within the space underneath the vacuum cleaner to create a cushion of air underneath the underside of the casing. The skirting (3) functions to stop the air jet from going outside and to cause air turbulence in the reflected air flow underneath the vacuum cleaner to assist in he hovering effect of the vacuum cleaner. The curve up surface on the underside of the casing is designed to achieve better retention of air to enhance the hovering effect.
Figure 6 shows the arrangement of the vanes (11) at the air outlets on the underside of the casing of the present invention. There are forward directional vanes (12) and backward directional vanes (14) installed at the air outlets at predetermined angles to direct air flow emitted through the air outlets (1) to the front and back directions of the vacuum cleaner and/or to the air distribution channels.
The forward directional vanes (12) and is designed to direct the air flow to the forward direction. For the backward direction then the backward directional vane 14 is being used. The vanes position will determine the direction of the air flow to achieve a balanced floating effect for the vacuum cleaners.
If more air flow is required in the forward direction then more forward directional vanes (12) covering bigger surface area is used and if more air flow is required in the backward direction then more backward directional vanes (12) covering bigger surface area is used. 
Even and balanced distribution of the air flow to the front and back direction of the underside of the casing is important to the hovering actions of the vacuum cleaner, especially to balance its weight and to prevent juddering. 
The arrangement of the air outlets (1) which are predisposed symmetrically at both sides of the underside of the casing and the control of air flow through the forward downwards and backward directional vanes (12, 13, 14) play an important role to an even and balanced distribution of the air flow to the front and back direction of the underside of the casing to balance its center of gravity and to prevent juddering of the vacuum cleaner.
Pointer A shows air flow leaving the air outlets (1) through forward directional vanes (12) at predetermined angles. The high velocity air flow hits and reflects from the ground at predetermined angles and with the skirting (3) to create turbulence air underneath the vacuum cleaner. This turbulent pocket of air creates a floating action at  the front portion of the vacuum cleaner. 
Pointer B shows air flow leaving the air outlets (1) through downwards directional vanes (13) . The high velocity air flow hits and reflects from the ground at 90 degrees and to create turbulence air underneath the vacuum cleaner. This turbulent pocket of air creates a floating action at the central portion of the vacuum cleaner. 
Pointer C shows air flow leaving the air outlets (1) through back directional vanes (14) at predetermined angles. The high velocity air flow hits and reflects from the ground at predetermined degrees and with the skirting (3) to create turbulence air underneath the vacuum cleaner. This turbulent pocket of air creates a floating action at the back portion of the vacuum cleaner. 
The relative arrangement the forward, downwards and backward directional vanes (12, 13, 14) shall cause an even and balanced distribution of the air flow to the front and back direction of the underside of the casing to balance its center of gravity and to prevent juddering of the vacuum cleaner.
In another embodiment of the present invention, the arrangement of the air outlets (1) which are predisposed symmetrically at both sides of the underside of the casing and the control of air flow through the forward and backward directional vanes (12,14) to the air distribution channels which are predisposed symmetrically on both sides of the underside of the casing along the longitudinal axis of the underside of the casing to achieve an even and balanced distribution of the air flow to the front and back direction of the underside of the casing to balance its center of gravity and to prevent juddering of the vacuum cleaner.
Figure 7 shows the shell shaped structure (28) covering the impelling motor (27) in the motor chamber (26). The shell shaped structure (28) covering the impelling motor (27) and in communication with the air outlets for directing the air flow air flow emitted from the impelling motor (27) to the bottom of the vacuum cleaner through the air outlets. The shell shaped structure (28) shall channel the air flow with little turbulence directly to the bottom of the casing through the air outlets. 
Figure 8 shows jet outlet (5) predisposed at the back of vacuum cleaner with jet outlet lid (15) installed thereon. The jet outlet (5) will enable the entrapped air at the underside of the casing to flow through for self-propelling the vacuum cleaner for ease of maneuvering by the user when the vacuum cleaner is energized. The jet outlet allows the entrapped air to flow through and hence to self-propel the vacuum cleaner forward and the user only need to guide it to the direction intended. 
The jet outlet can be partially or fully closed by a jet outlet lid (15). If the self-propulsion is too strong or if the hovering is required at one spot, then the user can partial or full close the jet outlet (15) by activating the jet outlet lid 9.
Figure 9 shows position of the wheel vacuum cleaner according to one embodiment of the present invention. The wheel(s) (6) will only function when the vacuum cleaner is not operating or energized. Then the idle vacuum cleaner will be resting on the wheel(s) (6) and can be pushed about. When the vacuum cleaner is functioning or energized, the hovering effect will lift the vacuum cleaner up together with the wheel(s) (6) rendering it wheel-less. The cleaner is suspended on a cushion of air and the wheels (6) not touching the ground/floor.
Figure 9 also shows air return holes (7) on the underside of the casing for portion of the entrapped air to return to the exhaust chamber for cooling down the exhaust chamber of the vacuum cleaner where the electrical cable are stored. The air return holes (7) are further fitted with filtering means to filter the dusts stirred up by the hovering action of the vacuum cleaner. 
While the invention has been described in connection with a preferred embodiment, it is not intended to limit the scope of the invention to the particular form set forth, but on the contrary, it is intended to cover such alternatives, modifications, and equivalents as may be included within the spirit and scope of the invention as defined by the appended claims.
Claims 
1.            A hovering vacuum cleaner comprising:- 
a suction inlet, 
a filter in a filter chamber, 
a casing enclosing the filter chamber
an impelling motor, 
a shell shaped structure enclosing the impelling motor  
air outlets predisposed symmetrically at both sides of the underside of the casing, said shell shaped structure covering the air outlets at both sides of the casing,
a pathway for air to flow from the inlet through the dust filter, the impelling motor and emit through the air outlet, 
a skirting predisposed along the perimeter of the underside of the casing to entrap air emitted through the air outlet and to create a cushion of air at the bottom of the casing to have a hovering effect, 
and the underside of the casing has a curve up surface predisposed symmetrically along the longitudinal axis of the underside of the casing for better retention of air to enhance the hovering effect.
2.            The hovering vacuum cleaner according to claim 1 further comprising forward and backward directional vanes installed at the air outlets at predetermined angles to direct air flow emitted through the outlet to the front and back directions of the vacuum cleaner.
3.            The hovering vacuum cleaner according to claim 1 and 2 further comprising air distribution channels which are predisposed symmetrically on both sides of the underside of the casing along the longitudinal axis of the underside of the casing, said air distribution channels are in communication with the air outlets for directing more air to the front and back directions of the vacuum cleaner.
4.            The hovering vacuum cleaner according to claim 1 to 3 further comprising a jet outlet predisposed at the back of vacuum cleaner enable the entrapped air to flow through for self-propelling the vacuum cleaner for ease of maneuvering by the user when the vacuum cleaner is energized.
5.            The hovering vacuum cleaner according to claim 4 wherein the jet outlet can be partially or fully closed by a jet outlet lid.
6.            The hovering vacuum cleaner according to claim 1 to 5 further comprising a combination of wheels for ease of maneuvering by the user when the vacuum cleaner is not energized.
7.            The hovering vacuum cleaner according to claim 1 to 7 further comprising a shell shaped structure covering the impelling motor and in communication with the air outlets  for directing the air flow emitted from the impelling motor to the bottom of the vacuum cleaner through the air outlet.  
8.            The hovering vacuum cleaner according to claim 1 to 8 further comprising air return holes on the underside of the casing for portion of the entrapped air to return to the exhaust chamber for cooling down the vacuum cleaner. 
Abstract
Hover Vacuum Cleaner
An improved self-propulsion hovering vacuum cleaner for domestic or industrial application designed with air outlets which are predisposed symmetrically along the longitudinal axis of the underside of the casing for directing more air to the front and back directions of the vacuum cleaner to achieve a more even distribution of air underneath the vacuum cleaner to reduce juddering or rocking effects. The underside of the casing has a curve up surface predisposed symmetrically along the longitudinal axis of the underside of the casing for better retention of air to enhance the hovering effect. In another embodiment of the present invention, there are air distribution channels predisposed symmetrically on both sides of the underside of the casing along the longitudinal axis of the underside of the casing, said air distribution channels are in communication with the air outlets for directing more air to the front and back directions of the vacuum cleaner. The improved hovering vacuum machine is also equipped with self-propulsion features and self-cooling features.
(Most illustrative drawing: Figure 1)
【図１】
2007111528.tif 000012
【図２】
2007111528.tif 000013
【図３】
2007111528.tif 000014
【図４】
2007111528.tif 000015
【図５】
2007111528.tif 000016
【図６】
2007111528.tif 000017
【図７】
2007111528.tif 000018
【図８】
2007111528.tif 000019
【図９】
2007111528.tif 000020